(57)【要約】      （修正有）【課題】簡便かつ迅速に取引データの入力手続きができるクラウドサーバ、ローカルサーバ、プログラム、情報処理システム及び情報処理システムの情報処理方法を提供する。【解決手段】クラウドサーバ１は、受注メモの入力を第２の端末装置４から受け付け、受注メモの入力を行ったユーザのローカルサーバ２からの送信要求に基づき、受注メモをローカルサーバ２へ送信する。ローカルサーバ２は、自ローカルサーバ２で実行される受注伝票の登録処理に用いられる受注メモがクラウドサーバ１に受け付けられているか監視し、受注メモが受け付けられていると判別された場合に、クラウドサーバ１に対して受注メモの送信を要求し受注メモを受信する。また、ローカルサーバ２は、受信された受注メモを受注伝票入力画面に反映させ、受注伝票入力画面へのデータ入力が完了した際に、受注伝票入力画面に入力されたデータをローカルサーバ２の業務情報ＤＢに登録する。【選択図】図１
2019028648.tif 000002
【特許請求の範囲】
【請求項１】
ローカルサーバとネットワークを介して接続されるクラウド環境に設けられたクラウドサーバであって、
前記ローカルサーバで実行される所定の登録処理に用いられる仮入力データの入力を端末装置から受け付ける受付手段と、
前記ローカルサーバからの送信要求に基づき、前記仮入力データを当該ローカルサーバへ送信する送信手段と、
を備えることを特徴とするクラウドサーバ。
【請求項２】
ローカルサーバとネットワークを介して接続されるクラウド環境に設けられたクラウドサーバとしてのコンピュータを、
前記ローカルサーバで実行される所定の登録処理に用いられる仮入力データの入力を端末装置から受け付ける受付手段、
前記ローカルサーバからの送信要求に基づき、前記仮入力データを当該ローカルサーバへ送信する送信手段、
として機能させるプログラム。
【請求項３】
クラウド環境に設けられたクラウドサーバとネットワークを介して接続されるローカルサーバであって、
自ローカルサーバで実行される所定の登録処理に用いられる仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理のデータ入力フォームに反映させる反映手段と、
前記所定の登録処理のデータ入力フォームへのデータ入力が完了した際に、当該データ入力フォームに入力されたデータを当該ローカルサーバのデータベースに登録する登録手段と、
を備えることを特徴とするローカルサーバ。
【請求項４】
前記監視手段により前記仮入力データが受け付けられていると判別された場合に、当該仮入力データが受け付けられていることを報知する報知手段を備え、
前記送信要求手段は、前記報知手段により前記仮入力データが受け付けられていることが報知されている際のユーザの所定の操作に基づき、前記クラウドサーバに対して当該仮入力データの送信を要求することを特徴とする請求項３に記載のローカルサーバ。
【請求項５】
前記監視手段は、前記仮入力データが前記クラウドサーバに受け付けられているかを所定の時間ごとに監視することを特徴とする請求項３又は４に記載のローカルサーバ。
【請求項６】
前記登録手段により前記データ入力フォームに入力されたデータが当該ローカルサーバのデータベースに登録された際に、当該データベースと前記クラウドサーバのデータベースとを同期させる同期手段を備えることを特徴とする請求項３〜５のいずれか一項に記載のローカルサーバ。
【請求項７】
前記仮入力データが有している項目は、前記所定の登録処理のデータ入力フォームが有している項目の一部からなることを特徴とする請求項３〜６のいずれか一項に記載のローカルサーバ。
【請求項８】
前記所定の登録処理のデータ入力フォームが有している項目は、前記仮入力データが有している項目とは異なる項目を含むことを特徴とする請求項３〜７のいずれか一項に記載のローカルサーバ。
【請求項９】
クラウド環境に設けられたクラウドサーバとネットワークを介して接続されるローカルサーバとしてのコンピュータを、
自ローカルサーバで実行される所定の登録処理に用いられる仮入力データが前記クラウドサーバに受け付けられているか監視する監視手段、
前記監視手段により前記仮入力データが受け付けられていると判別された場合に、前記クラウドサーバに対して当該仮入力データの送信を要求する送信要求手段、
前記送信要求手段により送信の要求がなされた前記仮入力データを受信する受信手段、
前記受信手段により受信された前記仮入力データを、前記所定の登録処理のデータ入力フォームに反映させる反映手段、
前記所定の登録処理のデータ入力フォームへのデータ入力が完了した際に、当該データ入力フォームに入力されたデータを当該ローカルサーバのデータベースに登録する登録手段、
として機能させるプログラム。
【請求項１０】
ローカルサーバと、当該ローカルサーバとネットワークを介して接続されるクラウド環境に設けられたクラウドサーバと、を備える情報処理システムであって、
前記クラウドサーバは、
前記ローカルサーバで実行される所定の登録処理に用いられる仮入力データの入力を端末装置から受け付ける受付手段と、
前記ローカルサーバからの送信要求に基づき、前記仮入力データを当該ローカルサーバへ送信する送信手段と、
を備え、
前記ローカルサーバは、
自ローカルサーバで実行される所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理のデータ入力フォームに反映させる反映手段と、
前記所定の登録処理のデータ入力フォームへのデータ入力が完了した際に、当該データ入力フォームに入力されたデータを当該ローカルサーバのデータベースに登録する登録手段と、
を備えることを特徴とする情報処理システム。
【請求項１１】
ローカルサーバと、当該ローカルサーバとネットワークを介して接続されるクラウド環境に設けられたクラウドサーバと、を備える情報処理システムの情報処理方法であって、
前記クラウドサーバに備えられる受付手段により、前記ローカルサーバで実行される所定の登録処理に用いられる仮入力データの入力を端末装置から受け付ける受付ステップと、
前記ローカルサーバに備えられる監視手段により、自ローカルサーバで実行される前記所定の登録処理に用いられる前記仮入力データが前記クラウドサーバに受け付けられているか監視する監視ステップと、
前記ローカルサーバに備えられる送信要求手段により、前記監視手段により前記仮入力データが受け付けられていると判別された場合に、前記クラウドサーバに対して当該仮入力データの送信を要求する送信要求ステップと、
前記クラウドサーバに備えらえる送信手段により、前記ローカルサーバからの前記仮入力データの送信要求に基づき、当該仮入力データを当該ローカルサーバへ送信する送信ステップと、
前記ローカルサーバに備えられる受信手段により、前記送信要求手段により送信の要求がなされた前記仮入力データを受信する受信ステップと、
前記ローカルサーバに備えられる反映手段により、前記受信手段により受信された前記仮入力データを、前記所定の登録処理のデータ入力フォームに反映させる反映ステップと、
前記ローカルサーバに備えられる登録手段により、前記所定の登録処理のデータ入力フォームへのデータ入力が完了した際に、当該データ入力フォームに入力されたデータを当該ローカルサーバのデータベースに登録する登録ステップと、
を含むことを特徴とする情報処理システムの情報処理方法。
【発明の詳細な説明】
【技術分野】
【０００１】
本発明は、クラウドサーバ、ローカルサーバ、プログラム、情報処理システム及び情報処理システムの情報処理方法に関する。
【背景技術】
【０００２】
従来、受発注等の取引データを入力し受発注伝票の登録を行う会計システムが知られている。このような会計システムでは、例えば、取引データを入力する際に、入力項目を極力少なくすることで、取引データの入力手続きを簡単にできる仕組が開示されている（特許文献１参照）。
【先行技術文献】
【特許文献】
【０００３】
【特許文献１】特開２００７−１８８４４２号公報
【発明の概要】
【発明が解決しようとする課題】
【０００４】
しかしながら、上記特許文献１に開示されている会計システムでは、この会計システムを起動することができない外出先などで注文を受けた場合、この注文に係る取引データの入力手続きをすぐに行うことができないため、営業担当者が事務所に戻ってから処理したり、電話やメール等で事務担当者に連絡したりする必要がある。そのような場合には、注文情報を会計システムに転記入力するなど取引データの入力手続きが煩雑になる上、移動や連絡等による処理の遅滞が発生してしまうおそれがある。
【０００５】
この発明の目的は、簡便かつ迅速に取引データの入力手続きができるクラウドサーバ、ローカルサーバ、プログラム、情報処理システム及び情報処理システムの情報処理方法を提供することにある。
【課題を解決するための手段】
【０００６】
上記課題を解決するため、本発明に係る情報処理システムは、
ローカルサーバと、当該ローカルサーバとネットワークを介して接続されるクラウド環境に設けられたクラウドサーバと、を備える情報処理システムであって、
前記クラウドサーバは、
前記ローカルサーバで実行される所定の登録処理に用いられる仮入力データの入力を端末装置から受け付ける受付手段と、
前記ローカルサーバからの送信要求に基づき、前記仮入力データを当該ローカルサーバへ送信する送信手段と、
を備え、
前記ローカルサーバは、
自ローカルサーバで実行される所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理のデータ入力フォームに反映させる反映手段と、
前記所定の登録処理のデータ入力フォームへのデータ入力が完了した際に、当該データ入力フォームに入力されたデータを当該ローカルサーバのデータベースに登録する登録手段と、
を備えることを特徴とする。
【発明の効果】
【０００７】
本発明によれば、簡便かつ迅速に取引データの入力手続きができる。
【図面の簡単な説明】
【０００８】
【図１】本発明の実施の形態の販売管理システムを示すブロック図である。
【図２】クラウドサーバの機能構成を示すブロック図である。
【図３】ローカルサーバの機能構成を示すブロック図である。
【図４】第１の端末装置の機能構成を示すブロック図である。
【図５】第２の端末装置の機能構成を示すブロック図である。
【図６】クラウドサーバへのログインを行うためのログイン画面を示す図である。
【図７】受注入力業務メニュー画面を示す図である。
【図８】受注メモ入力画面を示す図である。
【図９】受注伝票業務メニュー画面を示す図である。
【図１０】クラウド受注取込画面を示す図である。
【図１１】受注メモを取り込んだ後に表示される受注伝票入力画面を示す図である。
【図１２】販売管理システムを利用した受注業務の流れの一例を示すフローチャートである。
【図１３】受注メモ登録処理を示すフローチャートである。
【発明を実施するための形態】
【０００９】
＜販売管理システムの構成＞
先ず、販売管理システム１００（情報処理システム）の概略構成について、図１を参照して説明する。
図１は、販売管理システム１００の概略構成を示す図である。
図１に示すように、本実施形態の販売管理システム１００は、クラウドサーバ１と、複数のローカルサーバ２と、複数の第１の端末装置３と、複数の第２の端末装置４とを備えている。クラウドサーバ１と各ローカルサーバ２とは、例えば、インターネット５を介して情報通信可能に接続されている。また、各ローカルサーバ２は、例えば、ＬＡＮ（Local Area Network）６を介して第１の端末装置３と情報通信可能に接続されている。また、第２の端末装置４は、インターネット５を介してクラウドサーバ１と情報通信可能に接続されている。
【００１０】
クラウドサーバ１は、販売管理システム１００の一環としてのクラウドサービスをユーザに提供するサーバであり、業務情報に係る業務情報ＤＢ（データベース）をユーザ（クライアント）ごとに記憶し管理する。また、クラウドサーバ１は、種々のプログラムを実行することで、業務情報ＤＢに関する各種データ処理（例えば、受注メモ（後述）の登録、照会、伝票や請求書等の閲覧、経営分析などに係る機能を実現するための処理）を行う。クラウドサーバ１へは、認証情報による認証に成功した場合にアクセスすることができるようになっている。
【００１１】
ローカルサーバ２は、例えば、個人企業のオーナー、中小企業のオーナー、個人商店の店主等のユーザ（クライアント）の拠点に設置されるサーバであり、このユーザの業務情報に係る業務情報ＤＢを記憶し管理する。また、ローカルサーバ２は、予めインストールされた種々のプログラムを実行することで、業務情報ＤＢに関する各種データ処理（例えば、売上管理、仕入管理、在庫管理などに係る機能を実現するための処理）を行う。
【００１２】
第１の端末装置３は、例えば、タブレットＰＣ（Personal Computer）、ノートＰＣ、デスクトップＰＣ等である。第１の端末装置３は、ＬＡＮ６を介して、ローカルサーバ２に記憶されている業務情報ＤＢを共有し、ローカルサーバ２と同様、予めインストールされた種々のプログラムを実行することで、当該業務情報ＤＢに関する各種データ処理を行う。
【００１３】
第２の端末装置４は、例えば、ユーザが外出先において使用することのできるスマートフォン、タブレットＰＣ、携帯電話機、ＰＤＡ、ノートＰＣ、デスクトップＰＣ等である。第２の端末装置４は、ユーザの入力操作を受け付け、当該入力操作に基づく情報をクラウドサーバ１に送信し、クラウドサーバ１から送信されて受信した情報を表示する。なお、第２の端末装置４は上述の第１の端末装置３が兼ねるようにしても良い。
【００１４】
図２は、クラウドサーバ１の機能的構成を示すブロック図である。
図２に示すように、クラウドサーバ１は、ＣＰＵ（Central Processing Unit）１１（受付手段、送信手段）と、ＲＡＭ（Random Access Memory）１２と、記憶部１３と、操作部１４と、表示部１５と、通信部１６（送信手段）とを備えている。また、クラウドサーバ１の各部は、バス１７を介して接続されている。
【００１５】
ＣＰＵ１１は、クラウドサーバ１の各部を制御する。ＣＰＵ１１は、記憶部１３に記憶されているシステムプログラム及びアプリケーションプログラムのうち、指定されたプログラムを読み出し、ＲＡＭ１２のワークエリアに展開し、当該プログラムに従って各種処理を実行する。
【００１６】
ＲＡＭ１２は、例えば、揮発性のメモリであり、ＣＰＵ１１により読み出された各種のプログラムやデータを一時的に格納するワークエリアを有する。
【００１７】
記憶部１３は、例えば、ＨＤＤ（Hard Disk Drive）、ＳＳＤ（Solid State Drive）等により構成され、データ及びプログラムを書き込み及び読み出し可能な記憶部である。また、記憶部１３は、プログラム１３ａ、アカウントＤＢ１３ｂ、業務情報ＤＢ１３ｃなどを記憶している。
【００１８】
プログラム１３ａは、ＣＰＵ１１により実行される上述の各種システムプログラム及びアプリケーションプログラムを含む。
アカウントＤＢ１３ｂは、販売管理システム１００のユーザのアカウントに係る情報が登録されている。ここで、アカウントに係る情報には、アカウントごとに固有のユーザ名及びパスワードが含まれる。本実施形態では、ユーザ名とパスワードとの組み合わせにより認証情報が構成される。
業務情報ＤＢ１３ｃは、販売管理システム１００における管理対象（各ローカルサーバ２を所有しているユーザ）の業務情報が登録されたデータベースである。この業務情報ＤＢ１３ｃには、後述する受注メモを登録するための受注明細ＤＢが含まれている。
【００１９】
操作部１４は、例えば、キーボード等のキー入力部と、マウス等のポインティングデバイスとを有している。また、操作部１４は、キー入力及び位置入力を受け付け、その操作情報をＣＰＵ１１に出力する。
【００２０】
表示部１５は、例えば、ＬＣＤ（Liquid Crystal Display）や有機ＥＬ（Electro Luminescence）ディスプレイ等から構成されている。また、表示部１５には、ＣＰＵ１１から入力される表示信号の指示に従って、各種画面を表示する。
【００２１】
通信部１６は、例えば、ネットワークカード等により構成されている。また、通信部１６は、インターネット５に通信接続されて、インターネット５上の機器（例えば、ローカルサーバ２、第２の端末装置４等）との通信を行う。
【００２２】
図３は、ローカルサーバ２の機能的構成を示すブロック図である。
図３に示すように、ローカルサーバ２は、ＣＰＵ２１（監視手段、受信手段、反映手段、登録手段、報知手段、同期手段）と、ＲＡＭ２２と、記憶部２３と、操作部２４と、表示部２５と、通信部２６（受信手段）とを備えている。また、ローカルサーバ２の各部は、バス２７を介して接続されている。
【００２３】
ＣＰＵ２１は、ローカルサーバ２の各部を制御する。ＣＰＵ２１は、記憶部２３に記憶されているシステムプログラム及びアプリケーションプログラムのうち、指定されたプログラムを読み出し、ＲＡＭ２２のワークエリアに展開し、当該プログラムに従って各種処理を実行する。
【００２４】
ＲＡＭ２２は、例えば、揮発性のメモリであり、ＣＰＵ２１により読み出された各種のプログラムやデータを一時的に格納するワークエリアを有する。
【００２５】
記憶部２３は、例えば、ＨＤＤ、ＳＳＤ等により構成され、データ及びプログラムを書き込み及び読み出し可能な記憶部である。また、記憶部２３は、プログラム２３ａ、業務情報ＤＢ２３ｂなどを記憶している。
【００２６】
プログラム２３ａは、ＣＰＵ２１により実行される上述の各種システムプログラム及びアプリケーションプログラムを含む。
業務情報ＤＢ２３ｂは、販売管理システム１００における管理対象（当該業務情報ＤＢ２３ｂを記憶しているローカルサーバ２を所有しているユーザ）の業務情報が登録されたデータベースである。
操作部２４、表示部２５及び通信部２６の構成は、クラウドサーバ１の操作部１４、表示部１５及び通信部１６の構成と同様であるので詳細な説明は省略する。
【００２７】
図４は、第１の端末装置３の機能的構成を示すブロック図である。
図４に示すように、第１の端末装置３は、ＣＰＵ３１と、ＲＡＭ３２と、記憶部３３と、操作部３４と、表示部３５と、通信部３６とを備えている。また、第１の端末装置３の各部は、バス３７を介して接続されている。
【００２８】
ＣＰＵ３１は、第１の端末装置３の各部を制御する。ＣＰＵ３１は、記憶部３３に記憶されているシステムプログラム及びアプリケーションプログラムのうち、指定されたプログラムを読み出し、ＲＡＭ３２のワークエリアに展開し、当該プログラムに従って各種処理を実行する。その際に、ＣＰＵ３１は、ＲＡＭ３２内に各種処理結果を格納させ、必要に応じてその処理結果を表示部３５に表示させる。
【００２９】
ＲＡＭ３２は、例えば、揮発性のメモリであり、ＣＰＵ３１により読み出された各種のプログラムやデータを一時的に格納するワークエリアを有する。
【００３０】
記憶部３３は、例えば、ＨＤＤ、ＳＳＤ等により構成され、データ及びプログラムを書き込み及び読み出し可能な記憶部である。また、記憶部３３は、プログラム３３ａを記憶している。プログラム３３ａは、ＣＰＵ３１により実行される上述の各種システムプログラム及びアプリケーションプログラムを含む。
【００３１】
操作部３４、表示部３５及び通信部３６の構成は、クラウドサーバ１の操作部１４、表示部１５及び通信部１６の構成と同様であるので詳細な説明は省略する。
【００３２】
図５は、第２の端末装置４の機能的構成を示すブロック図である。
図５に示すように、第２の端末装置４は、ＣＰＵ４１と、ＲＡＭ４２と、記憶部４３と、操作部４４と、表示部４５と、通信部４６とを備えている。また、第２の端末装置４の各部は、バス４７を介して接続されている。なお、第２の端末装置４の構成は、第１の端末装置３の構成と同様であるので詳細な説明は省略する。
【００３３】
＜販売管理システムにおける受注メモの登録方法＞
本実施形態の販売管理システム１００では、ユーザ（例えば、営業担当者）が外出先で受注した情報の一部の情報を受注メモ（仮入力データ）としてクラウドサーバ１の受注明細ＤＢ（業務情報ＤＢ１３ｃ）に登録することができるようになっている。以下では、販売管理システム１００における受注メモの登録方法について説明する。
【００３４】
図６は、クラウドサーバ１へのログインを行うためのログイン画面７１を示す図である。
ログイン画面７１は、第２の端末装置４においてブラウザのプログラムが実行され、クラウドサーバ１へのログインを行うための所定のウェブサイトにアクセスした場合に表示部４５に表示される画面である。ログイン画面７１では、ログインに使用するアカウントのユーザ名を入力するテキストボックスＡ１と、パスワードを入力するテキストボックスＡ２と、ログインボタンＢ１とが表示される。
【００３５】
第２の端末装置４の操作部４４に対する入力操作により、テキストボックスＡ１にユーザ名が入力され、テキストボックスＡ２にパスワードが入力され、この状態でログインボタンＢ１を選択する入力操作が行われると、入力された認証情報がクラウドサーバ１に送信されて、アカウントＤＢ１３ｂに記憶された認証情報と照合される。入力された認証情報が、登録されているいずれかのアカウントの認証情報と一致した場合（認証情報が適正であると判別された場合）には、クラウドサーバ１のＣＰＵ１１により、当該アカウントでのクラウドサーバ１へのログイン処理が行われてログインセッションが開始される。
【００３６】
図７は、受注入力業務メニュー画面７２を示す図である。この受注入力業務メニュー画面７２は、クラウドサーバ１へログインした際に表示されるメインメニュー画面（図示省略）から受注入力業務に係るメニューボタン（図示省略）が選択操作された場合に表示される画面である。受注入力業務メニュー画面７２では、受注メモの入力に係る機能を実行させるためのアイコンＩ１が表示されている。
ユーザは、アイコンＩ１を選択する入力操作を行うことで、後述する受注メモ入力画面７３を表示部４５に表示させることができるようになっている。
【００３７】
図８は、受注メモ入力画面７３を示す図である。この受注メモ入力画面７３では、伝票日付をプルダウン形式で選択入力することが可能なプルダウンメニューＭ１と、出荷予定日及び出荷予定時刻をプルダウン形式で選択入力することが可能なプルダウンメニューＭ２とが表示されている。また、受注メモ入力画面７３では、得意先コードをプルダウン形式で選択入力することが可能なプルダウンメニューＭ３が表示されており、このプルダウンメニューＭ３で得意先コードを選択入力することにより、プルダウンメニューＭ３の右方に表示されているテキストボックスＡ３に当該得意先コード（例えば、「000003」）に対応する得意先名（例えば、「岡村商会（株）」）を自動入力することができるようになっている。また、受注メモ入力画面７３では、担当者コードをプルダウン形式で選択入力することが可能なプルダウンメニューＭ４が表示されており、このプルダウンメニューＭ４で担当者コードを選択入力することにより、プルダウンメニューＭ４の右方に表示されているテキストボックスＡ４に当該担当者コード（例えば、「000006」）に対応する担当者名（例えば、「井上健一郎」）を自動入力することができるようになっている。また、受注メモ入力画面７３では、摘要を入力することが可能なテキストボックスＡ５が表示されている。
【００３８】
また、受注メモ入力画面７３では、受注した商品ごとに、その商品の数量、単位、単価、金額、備考等を入力することが可能な一覧表Ｌ１が表示されている。この一覧表Ｌ１では、行ごとに、商品コードをプルダウン形式で選択入力することが可能なプルダウンメニューＭ５が表示されており、このプルダウンメニューＭ５で商品コードを選択入力することにより、プルダウンメニューＭ５の右方に表示されているテキストボックスＡ６に当該商品コード（例えば、「000008」）に対応する商品名（例えば、「北海しまえび」）を自動入力することができるようになっている。また、一覧表Ｌ１では、数量を入力することが可能なテキストボックスＡ５、当該数量の単位をプルダウン形式で選択入力することが可能なプルダウンメニューＭ６、及び、当該数量の単価をプルダウン形式で選択入力することが可能なプルダウンメニューＭ７が表示されており、数量、単位及び単価を入力することにより、プルダウンメニューＭ７の右方に表示されているテキストボックスＡ８に当該数量及び当該単価（例えば、数量「３」、単価「4,500」）に対応する金額（例えば、「13,500」）を自動入力することができるようになっている。また、一覧表Ｌ１では、備考を入力することが可能なテキストボックスＡ９、当該一覧表Ｌ１を行ごとに削除するための削除ボタンＢ２が表示されている。
【００３９】
また、受注メモ入力画面７３では、一覧表Ｌ１の右下方に、当該一覧表Ｌ１に新たに行を追加するための行追加ボタンＢ３が表示されるとともに、一覧表Ｌ１の左下方に、受注メモ入力画面７３において入力された内容にて登録を実行する登録ボタンＢ４、当該内容をクリアするクリアボタンＢ５が表示されている。
ユーザは、プルダウンメニューＭ１〜Ｍ７、テキストボックスＡ３〜Ａ９に必要事項を入力した上で登録ボタンＢ４を選択する入力操作を行うことで、受注メモの登録を行うことができる。
【００４０】
＜販売管理システムにおける受注伝票の作成方法＞
本実施形態の販売管理システム１００では、ローカルサーバ２又はこのローカルサーバ２とＬＡＮ６を介して接続されている第１の端末装置３において受注伝票を作成する場合、上述のようにクラウドサーバ１に登録された受注メモをローカルサーバ２に取り込み、この受注メモの内容を受注伝票入力画面に反映させた状態で受注伝票を作成することができるようになっている。以下では、販売管理システム１００における受注伝票の作成方法について説明する。なお、以下では、第１の端末装置３において受注伝票を作成する場合を想定して説明する。
【００４１】
図９は、受注伝票業務メニュー画面８１を示す図である。この受注伝票業務メニュー画面８１は、第１の端末装置３において、この第１の端末装置３とＬＡＮ６を介して接続されているローカルサーバ２の業務情報ＤＢ２３ｂに関する各種データ処理を行うための所定のソフトウエアを起動した際に表示される業務メニュー画面（図示省略）から受注伝票業務に係るファイル（図示省略）が選択操作された場合に表示される画面である。受注伝票業務メニュー画面８１では、クラウド受注取込みに係る機能、すなわち上述した受注メモをローカルサーバ２へ取り込む機能を実行させるためのメニューボタンＢ６が表示されるほか、受注伝票入力、受注伝票印刷、注文請書入力、注文請書印刷等に係る機能を実行させるためのメニューボタンＢ７〜Ｂ１０が表示されている。また、受注伝票業務メニュー画面８１では、受注伝票業務を終了するための業務終了ボタンＢ１１が表示されている。
【００４２】
また、受注伝票業務メニュー画面８１では、画面右側にサポートパネル８１ａが表示されており、このサポートパネル８１ａにおいて、各種業務に係るメッセージが表示されるようになっている。図９の例では、サポートパネル８１ａにおいて、クラウドサーバ１からまだ取り込まれていない受注メモがあることを示すメッセージＭＳが表示されている。また、受注伝票業務メニュー画面８１では、上記のメッセージＭＳの表示に伴ってクラウド受注取込みに係る機能を実行させるためのメニューボタンＢ６が強調表示されている。
ユーザは、このメニューボタンＢ６を選択する入力操作を行うことで、後述するクラウド受注取込画面８２を表示部３５に表示させることができるようになっている。
【００４３】
図１０は、クラウド受注取込画面８２を示す図である。このクラウド受注取込画面８２では、受注メモの取込みを開始する処理開始ボタンＢ１２と、受注メモの取込みを終了する処理終了ボタンＢ１３とが表示されている。
ユーザは、この処理開始ボタンＢ１２を選択する入力操作を行うことで、クラウドサーバ１からローカルサーバ２へ受注メモを取り込むことができるようになっている。そして、ローカルサーバ２へ受注メモが取り込まれると、後述する受注伝票入力画面８３が表示部３５に表示されるようになっている。
【００４４】
図１１は、受注メモを取り込んだ後に表示される受注伝票入力画面８３（データ入力フォーム）を示す図である。受注伝票入力画面８３では、伝票番号、伝票日付、得意先コード、得意先名、宛先、担当者コード、出荷予定日・出荷時刻、摘要をそれぞれ入力するためのテキストボックスＡ１０〜Ａ１７や、受注した商品に関する情報を入力するための受注商品一覧表Ｌ２、受注伝票入力画面８３に表示された内容に対する訂正を中止するための訂正中止ボタンＢ１４、受注伝票入力画面８３に表示された内容に対する訂正を確定するための訂正確定ボタンＢ１５、受注伝票入力画面８３を閉じるための処理終了ボタンＢ１６などが表示されている。
【００４５】
図１１の例では、図８に示す内容の受注メモが取り込まれた後、新たにユーザの入力操作によって、テキストボックスＡ１４に宛先である「経理部  経理課」が入力されるとともに、受注商品一覧表Ｌ２の仕入単価の欄に「北海しまえび」及び「筋子（醤油）」の仕入単価として「2,700」、「3,700」が入力された状態を示している。図１１に示すように、受注伝票入力画面８３で入力可能な項目のうち、伝票日付、得意先コード、得意先名、担当者コード、出荷予定日・出荷時刻、摘要等の項目は、受注メモ入力画面７３（図８参照）の入力対象項目と共通する項目である。一方、受注伝票入力画面８３で入力可能な項目のうち、宛先、仕入単価、粗利の項目は、受注メモ入力画面７３における入力対象項目とはなっていない。つまり、受注メモ入力画面７３における入力可能な項目は、受注伝票入力画面８３で入力可能な項目の一部からなっており、受注伝票入力画面８３で入力可能な項目は、受注メモ入力画面７３における入力可能な項目とは異なる項目を含んでいることとなる。なお、受注商品一覧表Ｌ２に表示されている粗利は、この表に入力された数量、売上単価及び仕入単価の値から自動的に算出されるようになっている。
ユーザは、受注伝票入力画面８３において必要事項を追加したり訂正した上で訂正確定ボタンＢ１５を選択する入力操作を行うことで、受注伝票の登録（所定の登録処理）を行うことができる。
【００４６】
＜販売管理システムを利用した受注業務の流れ＞
次に、図１２を参照して、本実施形態の販売管理システム１００を利用した受注業務の流れについて説明する。図１２は、販売管理システム１００を利用した受注業務の流れの一例を示すフローチャートである。ここで、図１２に示すローカルサーバ環境とは、ローカルサーバ２と、このローカルサーバ２とＬＡＮ６を介して接続されている第１の端末装置３とを示すものである。
【００４７】
なお、ローカルサーバ環境の各処理は、ローカルサーバ２の業務情報ＤＢ２３ｂに関する各種データ処理を行うための所定のソフトウエアが起動された場合に実行される処理である。以下では、ローカルサーバ２において上記所定のソフトウエアが起動された場合を想定して説明を行うが、当該ローカルサーバ２と接続されている第１の端末装置３において上記所定のソフトウエアが起動された場合にもローカルサーバ環境の各処理が実行される。
【００４８】
図１２に示すように、クラウドサーバ１のＣＰＵ１１は、先ず、受注メモ登録処理を実行する（ステップＳ１０１）。なお、受注メモ登録処理の詳細については、後述する。
【００４９】
次いで、クラウドサーバ１のＣＰＵ１１は、ローカルサーバ２から送信された取込要求信号（後述）を受信したことを契機として、当該取込要求信号を送信したローカルサーバ２へ対応する受注メモを送信する（ステップＳ１０２）。
【００５０】
次いで、クラウドサーバ１のＣＰＵ１１は、ローカルサーバ２において受注伝票の登録がなされ業務情報ＤＢ２３ｂが更新された場合、当該ローカルサーバ２との間において、当該ローカルサーバ２の業務情報ＤＢ２３ｂに対応する業務情報ＤＢ１３ｃの同期を図る業務情報ＤＢ同期処理を実行し（ステップＳ１０３）、処理をステップＳ１０１へ戻す。
【００５１】
一方、ローカルサーバ２のＣＰＵ２１は、先ず、クラウドサーバ１の受注明細ＤＢを所定時間（例えば、５分間）ごとに監視し（ステップＳ２０１）、未取込みの受注メモがあるか否かを判定する（ステップＳ２０２）。
【００５２】
ステップＳ２０２において、未取込みの受注メモが無いと判定された場合（ステップＳ２０２；ＮＯ）、ローカルサーバ２のＣＰＵ２１は、処理をステップＳ２０１へ戻す。
一方、ステップＳ２０２において、未取込みの受注メモがあると判定された場合（ステップＳ２０２；ＹＥＳ）、ローカルサーバ２のＣＰＵ２１は、図９に示すように、クラウドサーバ１からまだ取り込まれていない受注メモがあることを示すメッセージＭＳ（気付き表示）を受注伝票業務メニュー画面８１のサポートパネル８１ａに表示させる（ステップＳ２０３）。
【００５３】
次いで、ローカルサーバ２のＣＰＵ２１は、受注伝票業務メニュー画面８１において、操作部２４を介して、クラウド受注取込みに係る機能を実行させるためのメニューボタンＢ６を選択する入力操作がなされたか否かを判定する（ステップＳ２０４）。
【００５４】
ステップＳ２０４において、クラウド受注取込みに係る機能を実行させるためのメニューボタンＢ６を選択する入力操作がなされていないと判定された場合（ステップＳ２０４；ＮＯ）、ローカルサーバ２のＣＰＵ２１は、処理をステップＳ２０３へ戻す。
一方、ステップＳ２０４において、クラウド受注取込みに係る機能を実行させるためのメニューボタンＢ６を選択する入力操作がなされたと判定された場合（ステップＳ２０４；ＹＥＳ）、ローカルサーバ２のＣＰＵ２１は、図１０に示すクラウド受注取込画面８２を表示部２５に表示させる（ステップＳ２０５）。
【００５５】
次いで、ローカルサーバ２のＣＰＵ２１は、クラウド受注取込画面８２において、操作部２４を介して、処理開始ボタンＢ１２を選択する入力操作がなされたか否かを判定する（ステップＳ２０６）。
【００５６】
ステップＳ２０６において、処理開始ボタンＢ１２を選択する入力操作がなされていない、すなわち、処理終了ボタンＢ１３を選択する入力操作がなされたと判定された場合（ステップＳ２０６；ＮＯ）、ローカルサーバ２のＣＰＵ２１は、処理をステップＳ２０３に戻す。
一方、ステップ７Ｓ２０６において、処理開始ボタンＢ１２を選択する入力操作がなされたと判定された場合（ステップＳ２０６；ＹＥＳ）、ローカルサーバ２のＣＰＵ２１は、クラウドサーバ１に対して取込要求信号を送信する（ステップＳ２０７）。
【００５７】
次いで、ローカルサーバ２のＣＰＵ２１は、クラウドサーバ１から受注メモを取り込み（ステップＳ２０８）、図１１に示すように、当該受注メモの内容を反映させた状態の受注伝票入力画面８３を表示部２５に表示させる（ステップＳ２０９）。
【００５８】
次いで、ローカルサーバ２のＣＰＵ２１は、受注伝票入力画面８３において、操作部２４を介して、訂正確定ボタンＢ１５を選択する入力操作がなされたか否かを判定する（ステップＳ２１０）。
【００５９】
ステップＳ２１０において、訂正確定ボタンＢ１５を選択する入力操作がなされていないと判定された場合（ステップＳ２１０；ＮＯ）、ローカルサーバ２のＣＰＵ２１は、処理をステップＳ２０９へ戻す。
一方、ステップＳ２１０において、訂正確定ボタンＢ１５を選択する入力操作がなされたと判定された場合（ステップＳ２１０；ＹＥＳ）、ローカルサーバ２のＣＰＵ２１は、業務情報ＤＢ２３ｂを更新し（ステップＳ２１１）、当該ローカルサーバ２の業務情報ＤＢ２３ｂと、クラウドサーバ１の当該ローカルサーバ２の業務情報ＤＢ２３ｂに対応する業務情報ＤＢ１３ｃとを同期させ（ステップＳ２１２）、処理をステップＳ２０１へ戻す。
【００６０】
図１３は、受注メモ登録処理を示すフローチャートである。
受注メモ登録処理が呼び出されると、クラウドサーバ１のＣＰＵ１１は、第２の端末装置４の表示部４５に表示させたログイン画面７１（図６参照）において、認証情報（例えば、ユーザ名及びパスワード）の入力を伴うログイン要求がなされたか否かを判定する（ステップＳ１０１ａ）。
【００６１】
ステップＳ１０１ａにおいて、ログイン要求がなされていないと判定された場合（ステップＳ１０１ａ；ＮＯ）、クラウドサーバ１のＣＰＵ１１は、処理をステップＳ１０１ａに戻す。
一方、ステップＳ１０１ａにおいて、ログイン要求がなされたと判定された場合（ステップＳ１０１ａ；ＹＥＳ）、クラウドサーバ１のＣＰＵ１１は、入力された認証情報に対する認証が成功したか否かを判定する（ステップＳ１０１ｂ）。本実施形態では、クラウドサーバ１のＣＰＵ１１は、入力された認証情報と、アカウントＤＢ１３ｂに記憶されているいずれかのアカウントに係る認証情報と、が一致する場合に、認証が成功したと判定する。
【００６２】
ステップＳ１０１ｂにおいて、入力された認証情報に対する認証が成功していない、すなわち失敗したと判定された場合（ステップＳ１０１ｂ；ＮＯ）、クラウドサーバ１のＣＰＵ１１は、処理をステップＳ１０１ａに戻す。
一方、ステップＳ１０１ｂにおいて、入力された認証情報に対する認証が成功したと判定された場合（ステップＳ１０１ｂ；ＹＥＳ）、クラウドサーバ１のＣＰＵ１１は、メインメニュー画面（図示省略）を表示部４５に表示させる（ステップＳ１０１ｃ）。
【００６３】
次いで、クラウドサーバ１のＣＰＵ１１は、メインメニュー画面において、操作部４４を介して、ログアウト操作がなされたか否かを判定する（ステップＳ１０１ｄ）。
【００６４】
ステップＳ１０１ｄにおいて、ログアウト操作がなされたと判定された場合（ステップＳ１０１ｄ；ＹＥＳ）、クラウドサーバ１のＣＰＵ１１は、受注メモ登録処理を終了する。
一方、ステップＳ１０１ｄにおいて、ログアウト操作がなされていないと判定された場合（ステップＳ１０１ｄ；ＮＯ）、クラウドサーバ１のＣＰＵ１１は、メインメニュー画面において、操作部４４を介して、受注入力業務に係るメニューボタン（図示省略）を選択する入力操作がなされたか否かを判定する（ステップＳ１０１ｅ）。
【００６５】
ステップＳ１０１ｅにおいて、受注入力業務に係るメニューボタンを選択する入力操作がなされていないと判定された場合（ステップＳ１０１ｅ；ＮＯ）、クラウドサーバ１のＣＰＵ１１は、処理をステップＳ１０１ｄに戻す。
一方、ステップＳ１０１ｅにおいて、受注入力業務に係るメニューボタンを選択する入力操作がなされたと判定された場合（ステップＳ１０１ｅ；ＹＥＳ）、クラウドサーバ１のＣＰＵ１１は、図７に示すように、受注入力業務メニュー画面７２を表示部４５に表示させる（ステップＳ１０１ｆ）。
【００６６】
次いで、クラウドサーバ１のＣＰＵ１１は、受注入力業務メニュー画面７２において、操作部４４を介して、受注メモの入力に係る機能を実行させるためのアイコンＩ１を選択する入力操作がなされたか否かを判定する（ステップＳ１０１ｇ）。
【００６７】
ステップＳ１０１ｇにおいて、受注メモの入力に係る機能を実行させるためのアイコンＩ１を選択する入力操作がなされていないと判定された場合（ステップＳ１０１ｇ；ＮＯ）、クラウドサーバ１のＣＰＵ１１は、処理をステップＳ１０１ｆに戻す。
一方、ステップＳ１０１ｇにおいて、受注メモの入力に係る機能を実行させるためのアイコンＩ１を選択する入力操作がなされたと判定された場合（ステップＳ１０１ｇ；ＹＥＳ）、クラウドサーバ１のＣＰＵ１１は、図８に示すように、受注メモ入力画面７３を表示部４５に表示させる（ステップＳ１０１ｈ）。
【００６８】
次いで、クラウドサーバ１のＣＰＵ１１は、受注メモ入力画面７３において、操作部４４を介して、登録ボタンＢ４を選択する入力操作がなされたか否かを判定する（ステップＳ１０１ｉ）。
【００６９】
ステップＳ１０１ｉにおいて、登録ボタンＢ４を選択する入力操作がなされたと判定された場合（ステップＳ１０１ｉ；ＹＥＳ）、クラウドサーバ１のＣＰＵ１１は、受注メモを受注明細ＤＢに登録し（ステップＳ１０１ｊ）、処理をステップＳ１０１ｋに移行させる。
一方、ステップＳ１０１ｉにおいて、登録ボタンＢ４を選択する入力操作がなされていないと判定された場合（ステップＳ１０１ｉ；ＮＯ）、クラウドサーバ１のＣＰＵ１１は、ステップＳ１０１ｊをスキップして、処理をステップＳ１０１ｋに移行させる。
【００７０】
次いで、ステップＳ１０１ｋにおいて、クラウドサーバ１のＣＰＵ１１は、受注入力業務の終了操作がなされたか否かを判定する（ステップＳ１０１ｋ）。
【００７１】
ステップＳ１０１ｋにおいて、受注入力業務の終了操作がなされていないと判定された場合（ステップＳ１０１ｋ；ＮＯ）、クラウドサーバ１のＣＰＵ１１は、処理をステップＳ１０１ｆに戻す。
一方、ステップＳ１０１ｋにおいて、受注入力業務の終了操作がなされたと判定された場合（ステップＳ１０１ｋ；ＹＥＳ）、クラウドサーバ１のＣＰＵ１１は、処理をステップＳ１０１ｃに戻す。
【００７２】
以上、本実施の形態の販売管理システム１００によれば、クラウドサーバ１は、ローカルサーバ２で実行される受注伝票の登録処理（所定の登録処理）に用いられる受注メモ（仮入力データ）の入力を第２の端末装置４（端末装置）から受け付ける。また、クラウドサーバ１は、受注メモの入力を行ったユーザ（クライアント）のローカルサーバ２からの送信要求に基づき、当該受注メモを当該ローカルサーバ２へ送信したこととなる。
【００７３】
このため、外出先で注文を受けた場合でも、この注文に係る受注メモを第２の端末装置４から入力してクラウドサーバ１へ登録しておくことにより、ローカルサーバ２において、当該受注メモを受け取ることができるようになるので、当該受注メモに基づき簡便かつ迅速に受注に係る取引データの入力手続きができる。
【００７４】
また、ローカルサーバ２は、自ローカルサーバ２で実行される受注伝票の登録処理（所定の登録処理）に用いられる受注メモ（仮入力データ）がクラウドサーバ１に受け付けられているか監視し、受注メモが受け付けられていると判別された場合に、クラウドサーバ１に対して当該受注メモの送信を要求し当該受注メモを受信する。また、ローカルサーバ２は、受信された受注メモを受注伝票のデータ入力フォーム（受注伝票入力画面８３）に反映させ、当該データ入力フォームへのデータ入力が完了した際に、当該データ入力フォームに入力されたデータを当該ローカルサーバ２の業務情報ＤＢ２３ｂに登録する。
【００７５】
このため、ローカルサーバ２において受注メモがクラウドサーバ１に受け付けられているか監視することにより、実際に受注メモがクラウドサーバ１に受け付けられた際に当該受注メモをすぐにローカルサーバ２に取り込むことができるようになるので、迅速に受注に係る取引データの入力手続きができる。また、取り込んだ受注メモを受注伝票のデータ入力フォーム（受注伝票入力画面８３）に反映させるので、簡便かつ迅速に受注に係る取引データの入力手続きができる。
【００７６】
また、ローカルサーバ２は、受注メモがクラウドサーバ１に受け付けられていると判別された場合に、当該受注メモが受け付けられていることを報知するとともに、当該受注メモが受け付けられていることが報知されている際のユーザの所定の操作に基づき、クラウドサーバ１に対して当該受注メモの送信を要求したこととなる。このため、例えば、営業担当のユーザが外出先で注文を受けこの注文に係る受注メモを第２の端末装置４から入力しクラウドサーバ１へ登録した後、当該営業担当のユーザとは別の事務担当のユーザが当該受注メモを即時にローカルサーバ２へ取り込むことができるようになるので、ローカルサーバ２においてリアルタイムな受注業務を行うことができるようになる。
【００７７】
また、ローカルサーバ２は、受注メモがクラウドサーバ１に受け付けられているかを所定の時間ごとに監視するので、実際に受注メモがクラウドサーバ１に受け付けられた際に当該受注メモを逸早くローカルサーバ２に取り込むことができるようになるので、より迅速に受注に係る取引データの入力手続きができる。
【００７８】
また、ローカルサーバ２は、データ入力フォーム（受注伝票入力画面８３）に入力されたデータが当該ローカルサーバ２の業務情報ＤＢ２３ｂに登録された際に、当該業務情報ＤＢ２３ｂとクラウドサーバ１の業務情報ＤＢ１３ｃとを同期させるので、クラウドサーバ１の業務情報ＤＢ１３ｃをローカルサーバ２の業務情報ＤＢ２３ｂと同様に最新の状態に保つことができ、外出先においてもクラウドサーバ１を利用することにより、業務情報を活用した営業活動を行うことができる。また、クラウドサーバ１の業務情報ＤＢ１３ｃをバックアップとして用いることができる。
【００７９】
以上の説明では、本発明に係るクラウドサーバ１のプログラム１３ａのコンピュータ読み取り可能な媒体として記憶部１３のＨＤＤ、ＳＳＤ等を使用した例を、また、ローカルサーバ２のプログラム２３ａのコンピュータ読み取り可能な媒体として記憶部２３のＨＤＤ、ＳＳＤ等を使用した例を開示したが、この例に限定されない。その他のコンピュータ読み取り可能な媒体として、ＣＤ−ＲＯＭ等の可搬型記録媒体を適用することが可能である。また、本発明に係るクラウドサーバ１のプログラム１３ａ及びローカルサーバ２のプログラム２３ａのデータを通信回線を介して提供する媒体として、キャリアウエーブ（搬送波）も本発明に適用される。
【００８０】
なお、上記実施の形態における記述は、本発明に係るクラウドサーバ、ローカルサーバ、プログラム、情報処理システム及び情報処理システムの情報処理方法の一例であり、これに限定されるものではない。
【００８１】
また、上記実施の形態における販売管理システム１００の各構成要素の細部構成及び細部動作に関しては、本発明の趣旨を逸脱することのない範囲で適宜変更可能であることは勿論である。
【００８２】
例えば、上記実施の形態では、クラウドサーバ１にて受注メモ（仮入力データ）を受け付け、ローカルサーバ２にて当該受注メモを取り込み、そして当該受注メモの内容を反映させた受注伝票入力画面８３（データ入力フォーム）でのデータ入力により、受注伝票の登録処理（所定の登録処理）を完成させる一連の処理の流れについて説明を行ったが、当該登録処理の対象は、取引データを扱う帳票等であればよく、受注伝票に限られない。
【００８３】
また、上記実施の形態では、ローカルサーバ環境とは、ローカルサーバ２と、このローカルサーバ２とＬＡＮ６を介して接続されている第１の端末装置３とで構成されるものとしたが、ローカルサーバ２単体であっても良い。
【００８４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ローカルサーバとネットワークを介して接続されるクラウド環境に設けられたクラウドサーバであって、
前記ローカルサーバで実行される所定の登録処理に用いられる仮入力データの入力を端末装置から受け付ける受付手段と、
前記ローカルサーバからの送信要求に基づき、前記仮入力データを当該ローカルサーバへ送信する送信手段と、
を備えることを特徴とするクラウドサーバ。
＜請求項２＞
ローカルサーバとネットワークを介して接続されるクラウド環境に設けられたクラウドサーバとしてのコンピュータを、
前記ローカルサーバで実行される所定の登録処理に用いられる仮入力データの入力を端末装置から受け付ける受付手段、
前記ローカルサーバからの送信要求に基づき、前記仮入力データを当該ローカルサーバへ送信する送信手段、
として機能させるプログラム。
＜請求項３＞
クラウド環境に設けられたクラウドサーバとネットワークを介して接続されるローカルサーバであって、
自ローカルサーバで実行される所定の登録処理に用いられる仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理のデータ入力フォームに反映させる反映手段と、
前記所定の登録処理のデータ入力フォームへのデータ入力が完了した際に、当該データ入力フォームに入力されたデータを当該ローカルサーバのデータベースに登録する登録手段と、
を備えることを特徴とするローカルサーバ。
＜請求項４＞
前記監視手段により前記仮入力データが受け付けられていると判別された場合に、当該仮入力データが受け付けられていることを報知する報知手段を備え、
前記送信要求手段は、前記報知手段により前記仮入力データが受け付けられていることが報知されている際のユーザの所定の操作に基づき、前記クラウドサーバに対して当該仮入力データの送信を要求することを特徴とする請求項３に記載のローカルサーバ。
＜請求項５＞
前記監視手段は、前記仮入力データが前記クラウドサーバに受け付けられているかを所定の時間ごとに監視することを特徴とする請求項３又は４に記載のローカルサーバ。
＜請求項６＞
前記登録手段により前記データ入力フォームに入力されたデータが当該ローカルサーバのデータベースに登録された際に、当該データベースと前記クラウドサーバのデータベースとを同期させる同期手段を備えることを特徴とする請求項３〜５のいずれか一項に記載のローカルサーバ。
＜請求項７＞
前記仮入力データが有している項目は、前記所定の登録処理のデータ入力フォームが有している項目の一部からなることを特徴とする請求項３〜６のいずれか一項に記載のローカルサーバ。
＜請求項８＞
前記所定の登録処理のデータ入力フォームが有している項目は、前記仮入力データが有している項目とは異なる項目を含むことを特徴とする請求項３〜７のいずれか一項に記載のローカルサーバ。
＜請求項９＞
クラウド環境に設けられたクラウドサーバとネットワークを介して接続されるローカルサーバとしてのコンピュータを、
自ローカルサーバで実行される所定の登録処理に用いられる仮入力データが前記クラウドサーバに受け付けられているか監視する監視手段、
前記監視手段により前記仮入力データが受け付けられていると判別された場合に、前記クラウドサーバに対して当該仮入力データの送信を要求する送信要求手段、
前記送信要求手段により送信の要求がなされた前記仮入力データを受信する受信手段、
前記受信手段により受信された前記仮入力データを、前記所定の登録処理のデータ入力フォームに反映させる反映手段、
前記所定の登録処理のデータ入力フォームへのデータ入力が完了した際に、当該データ入力フォームに入力されたデータを当該ローカルサーバのデータベースに登録する登録手段、
として機能させるプログラム。
＜請求項１０＞
ローカルサーバと、当該ローカルサーバとネットワークを介して接続されるクラウド環境に設けられたクラウドサーバと、を備える情報処理システムであって、
前記クラウドサーバは、
前記ローカルサーバで実行される所定の登録処理に用いられる仮入力データの入力を端末装置から受け付ける受付手段と、
前記ローカルサーバからの送信要求に基づき、前記仮入力データを当該ローカルサーバへ送信する送信手段と、
を備え、
前記ローカルサーバは、
自ローカルサーバで実行される所定の登録処理に用いられる前記仮入力データが前記クラウドサーバに受け付けられているか監視する監視手段と、
前記監視手段により前記仮入力データが受け付けられていると判別された場合に、前記クラウドサーバに対して当該仮入力データの送信を要求する送信要求手段と、
前記送信要求手段により送信の要求がなされた前記仮入力データを受信する受信手段と、
前記受信手段により受信された前記仮入力データを、前記所定の登録処理のデータ入力フォームに反映させる反映手段と、
前記所定の登録処理のデータ入力フォームへのデータ入力が完了した際に、当該データ入力フォームに入力されたデータを当該ローカルサーバのデータベースに登録する登録手段と、
を備えることを特徴とする情報処理システム。
＜請求項１１＞
ローカルサーバと、当該ローカルサーバとネットワークを介して接続されるクラウド環境に設けられたクラウドサーバと、を備える情報処理システムの情報処理方法であって、
前記クラウドサーバに備えられる受付手段により、前記ローカルサーバで実行される所定の登録処理に用いられる仮入力データの入力を端末装置から受け付ける受付ステップと、
前記ローカルサーバに備えられる監視手段により、自ローカルサーバで実行される前記所定の登録処理に用いられる前記仮入力データが前記クラウドサーバに受け付けられているか監視する監視ステップと、
前記ローカルサーバに備えられる送信要求手段により、前記監視手段により前記仮入力データが受け付けられていると判別された場合に、前記クラウドサーバに対して当該仮入力データの送信を要求する送信要求ステップと、
前記クラウドサーバに備えらえる送信手段により、前記ローカルサーバからの前記仮入力データの送信要求に基づき、当該仮入力データを当該ローカルサーバへ送信する送信ステップと、
前記ローカルサーバに備えられる受信手段により、前記送信要求手段により送信の要求がなされた前記仮入力データを受信する受信ステップと、
前記ローカルサーバに備えられる反映手段により、前記受信手段により受信された前記仮入力データを、前記所定の登録処理のデータ入力フォームに反映させる反映ステップと、
前記ローカルサーバに備えられる登録手段により、前記所定の登録処理のデータ入力フォームへのデータ入力が完了した際に、当該データ入力フォームに入力されたデータを当該ローカルサーバのデータベースに登録する登録ステップと、
を含むことを特徴とする情報処理システムの情報処理方法。
【符号の説明】
【００８５】
１００  販売管理システム
１  クラウドサーバ
１１  ＣＰＵ
１２  ＲＡＭ
１３  記憶部
１３ａ  プログラム
１３ｂ  アカウントＤＢ
１３ｃ  業務情報ＤＢ
１４  操作部
１５  表示部
１６  通信部
１７  バス
２  ローカルサーバ
２１  ＣＰＵ
２２  ＲＡＭ
２３  記憶部
２３ａ  プログラム
２３ｃ  業務情報ＤＢ
２４  操作部
２５  表示部
２６  通信部
２７  バス
３  第１の端末装置
４  第２の端末装置
５  インターネット
６  ＬＡＮ
【図１】
2019028648.tif 000003
【図２】
2019028648.tif 000004
【図３】
2019028648.tif 000005
【図４】
2019028648.tif 000006
【図５】
2019028648.tif 000007
【図６】
2019028648.tif 000008
【図７】
2019028648.tif 000009
【図８】
2019028648.tif 000010
【図９】
2019028648.tif 000011
【図１０】
2019028648.tif 000012
【図１１】
2019028648.tif 000013
【図１２】
2019028648.tif 000014
【図１３】
2019028648.tif 000015